(57)【要約】【課題】  エレベータの利用者にとっては乗場まで行かないと運行状況を把握することができず、待ち時間の長さや混雑度合い等の心理的負担が軽減されていない。【解決手段】  そこで本発明では、エレベータの運行監視システム１と、人員数検出システム５と、インフォメーションサーバ６と、利用者の通信端末１２と、それらの間を接続する通信回線７，１１を構成要素とし、インフォメーションサーバは運行監視システム及び監視カメラシステムからのデータに基づき、上記通信端末が閲覧可能な運行状況に関するコンテンツの作成手段を構成すると共に、上記通信端末からの操作要求に基づく運行監視システムへの運行指令データの作成手段を構成したエレベータの運行システムを提案する。【選択図】    図１
2005193998.tif 000002
【特許請求の範囲】
【請求項１】
エレベータの運行監視システムと、人員数検出システムと、インフォメーションサーバと、利用者の通信端末と、それらの間を接続する通信回線を構成要素とし、インフォメーションサーバは運行監視システム及び監視カメラシステムからのデータに基づき、上記通信端末が閲覧可能な運行状況に関するコンテンツの作成手段を構成すると共に、上記通信端末からの操作要求に基づく運行監視システムへの運行指令データの作成手段を構成したことを特徴とするエレベータの運行システム
【請求項２】
人員数検知システムは、かご内とホールの人員を検出する構成としたことを特徴とする請求項１に記載のエレベータの運行システム
【請求項３】
人員数検知システムは、監視カメラシステムにより構成したことを特徴とする請求項２に記載のエレベータの運行システム
【請求項４】
人員数検知システムは、人数カウンタにより構成したことを特徴とする請求項２に記載のエレベータの運行システム
【請求項５】
インフォメーションサーバには、利用者の登録手段を設けて、利用者毎に操作の記録を可能としたことを特徴とする請求項１に記載のエレベータの運行システム
【請求項６】
エレベータの運行監視システムと、人員数検出システムと、インフォメーションサーバとの通信回線は、ＢＡＳ（ビルディング・オートメーション・システム）ネットワークを構成する通信回線を利用することを特徴とする請求項１に記載のエレベータの運行システム
【請求項７】
インフォメーションサーバと、利用者の通信端末との通信回線は、構内ＬＡＮの通信回線であることを特徴とする請求項１に記載のエレベータの運行システム
【請求項８】
インフォメーションサーバと、利用者の通信端末との通信回線は、インターネットの通信回線であることを特徴とする請求項１に記載のエレベータの運行システム
【発明の詳細な説明】
【技術分野】
【０００１】
本発明は、エレベータの運行システムに関するものである。
【背景技術】
【０００２】
エレベータの待ち時間の短縮等を図る目的で、従来から各種の制御手法が提案されている。
【０００３】
例えば特許文献１は、居室階に配設した乗場操作盤と、居室階の階床に対応するかご呼び釦を配設したかご操作盤と、乗場呼び釦を押下した場合に、乗場呼びを予約する乗場呼び予約手段と、かご内の乗客がかご操作盤のかご呼び釦を押下した場合に、かご呼びを予約するかご呼び予約手段と、予約された乗場呼びおよびかご呼びに対応して、かごを停止させる階上または階下乗場を停止階として選択し、かごが停止する回数が最も少なくなる呼び割付パターンを選択するとともに、選択した呼び割付パターンに従って、かごを停止させる停止階を登録する停止階登録手段とを備えた制御装置を提案するもので、かご呼びに対して停止回数を削減することにより乗客の乗客が乗場に到着してから行先階でかごを降りるまでのサービス完了時間を短縮しようとするものである。
【０００４】
また特許文献２は、エレベータの群管理制御装置に関するもので、この制御装置は、各階床の乗場呼び登録回数の統計を取り、統計結果に基づいて、登録回数の少ない階床には乗場呼びにサービス可能なかご台数を制限する機能を設けると共に、時間帯によって乗客発生の流れが変化する場合でも対応できるよう、時刻別に統計処理が可能な機能を付加し、更に、臨機応変な対応ができるよう人為的なパラメータ設定により割当可能かご台数を決定する処理を付加している。このことから、複数のかごが併設され、各かごが群管理による制御を受けているエレベーターシステムにおいて、エレベーターかごの一周運転時間を短縮させることで待ち時間を低減し、混雑階のサービスを低下させること無くビル全体の待ち時間サービスを向上させることができるというものである。
【特許文献１】特開２００２−３０８５４１号公報
【特許文献２】特開２００３−１５５１６９号公報
【発明の開示】
【発明が解決しようとする課題】
【０００５】
しかしながら従来の制御手法では、エレベータの群管理や運転パターンの細かい制御をしたとしても、結局エレベータの台数と利用人員数、負荷集中度によって代替の待ち時間は決まってしまう。
また、エレベータの利用者にとっては乗場まで行かないと運行状況を把握することができず、待ち時間の長さや混雑度合い等の心理的負担は軽減されていない。
本発明はこのような課題を解決することを目的とするものである。
【課題を解決するための手段】
【０００６】
上述した課題を解決するために、本発明では、エレベータの運行監視システムと、人員数検出システムと、インフォメーションサーバと、利用者の通信端末と、それらの間を接続する通信回線を構成要素とし、インフォメーションサーバは運行監視システム及び監視カメラシステムからのデータに基づき、上記通信端末が閲覧可能な運行状況に関するコンテンツの作成手段を構成すると共に、上記通信端末からの操作要求に基づく運行監視システムへの運行指令データの作成手段を構成したことを特徴とするエレベータの運行システムを提案する。
【０００７】
また本発明では、上記システムにおいて、人員数検知システムは、かご内とホールの人員を検出する構成とすることを提案する。
【０００８】
また本発明では、上記システムにおいて、人員数検知システムは、監視カメラシステムにより構成することを提案する。
【０００９】
また本発明では、上記システムにおいて、人員数検知システムは、人数カウンタにより構成することを提案する。
【００１０】
また本発明では、上記システムにおいて、、インフォメーションサーバには、利用者の登録手段を設けて、利用者毎に操作の記録を可能とすることを提案する。
【００１１】
また本発明では、上記システムにおいて、エレベータの運行監視システムと、人員数検出システムと、インフォメーションサーバとの通信回線は、ＢＡＳ（ビルディング・オートメーション・システム）ネットワークを構成する通信回線を利用することを提案する。
【００１２】
また本発明では、上記システムにおいて、インフォメーションサーバと、利用者の通信端末との通信回線は、構内ＬＡＮの通信回線とすることを提案する。
【００１３】
また本発明では、上記システムにおいて、インフォメーションサーバと、利用者の通信端末との通信回線は、インターネットの通信回線とすることを提案する。
【発明の効果】
【００１４】
本発明では、エレベータの運行監視システムと、人員数検出システムからインフォメーションサーバに、エレベータの運行状況に関するデータが送られる。運行状況に関するデータは、例えば、エレベータの各号機の運行位置、運行方向、かご内の人数、ホールの待ち人数等である。
【００１５】
インフォメーションサーバは、これらのデータに基づき、利用者の通信端末が閲覧可能な運行状況に関するコンテンツを作成する。コンテンツは例えば、文字、記号等が組み合わされたビジュアルなものであり、各バンク、各号機の現在位置、運行方向、停止予約階、かご内人数、ホール待ち人数、予測到着時刻、行動シミュレーション等の内容を表す。
【００１６】
利用者は、通信端末からインターネット等の通信回線を介してインフォメーションサーバにアクセスし、専用又は汎用のブラウザを利用して上記コンテンツを閲覧することができる。
【００１７】
利用者は、通信端末に表示された上記コンテンツを閲覧して、運行状況を把握することができ、適切な対処を行うことができる。
【００１８】
また利用者は、通信端末により上記コンテンツを閲覧するのみでなく、エレベータの運行に関する操作要求を発することができる。例えば、利用者は、通信端末を操作して、どこの階から、どの利用エレベータ群の操作かを設定すると共に、そこでの呼び操作（上行き又は下行き）を行うことができる。
【００１９】
利用者の通信端末から操作要求を受けたインフォメーションサーバは、所定の運行指令作成規則に従って運行指令データを作成し、これを運行監視システムに発する。従って、運行監視システムは、自体に有する運行制御規則と、インフォメーションサーバからの運行指令データに基づいてエレベータの運行を制御する。
【００２０】
ここで運行指令作成規則は、例えば同一のエレベータに対して異なった操作要求が同時に発せられた場合の調整等に関する規則である。この調整においては、予めインフォメーションサーバに利用者の登録を行うと共に、利用者毎に優先順序を設定し、その優先順序を上記調整に利用することができる。
【００２１】
以上のことから本発明では、ビル監視管理の用に供するエレベータの運行状況、混雑状況等の情報をビルの入居者等の利用者に提供することができ、またエレベータホールでの呼び釦以外に通信端末により遠隔からかご呼び予約を行うことができるシステムを構築することができ、エレベータ制御に関する利用者の不満の軽減、ビルの縦動線の混雑緩和を図ることができる。
【実施例１】
【００２２】
次に本発明のエレベータの運行システムの実施例を図１〜図４を参照して説明する。
符号１はエレベータの運行監視システムを示すもので、中央監視卓（システム）２、エレベータ運行情報表示用のグラフィックパネル３、エレベータ運行制御部４とから構成されている。
符号５はかご内とホールに対応して設置した監視カメラシステムであり、この監視カメラシステムは本来の目的の他に、画像処理により視野内の人数を計数可能な構成としている。
符号６はインフォメーションサーバであり、このインフォメーションサーバ６と上記中央監視卓２、エレベータ運行情報表示用のグラフィックパネル３、運行制御部４は、上記ＢＡＳネットワーク７に接続されている。
尚、ＢＡＳネットワーク７には、その他、受変電設備８、照明設備９及び空調設備１０等の制御手段が接続されている。
【００２３】
インフォメーションサーバ６は上述したとおり、エレベータの運行監視システム１等と共にＢＡＳネットワーク７の通信回線に接続されており、加えてインターネット１１等の通信回線にも接続されている。
【００２４】
符号１２（１２ａ，１２ｂ，１２ｃ）は利用者の通信端末であり、これらはインターネット１１を介してインフォメーションサーバ６にアクセス可能に構成されている。尚、通信端末１２の具体例として、１２ａは携帯電話、１２ｂはパーソナルコンピュータ、１２ｃはＰＤＡである。
【００２５】
以上の構成において、インフォメーションサーバ６は運行監視システム１及び監視カメラシステム５からのデータに基づき、上記通信端末１２が閲覧可能な運行状況に関するコンテンツの作成手段１３を構成すると共に、上記通信端末１２からの操作要求に基づく運行監視システム１への運行指令データの作成手段１４を構成している。
【００２６】
以上の構成において、図４（ａ）に示すように、エレベータの運行監視システム１と、人員数検出システムとしての監視カメラシステム５からインフォメーションサーバ６に、エレベータの運行状況に関するデータ、例えば、エレベータの各号機の運行位置、運行方向、かご内の人数、ホールの待ち人数等のデータが送られる。
【００２７】
インフォメーションサーバ６は、これらのデータに基づき、利用者の通信端末１２が閲覧可能な運行状況に関するコンテンツを作成する。コンテンツは例えば、文字、記号等が組み合わされたビジュアルなものであり、各バンク、各号機の現在位置、運行方向、停止予約階、かご内人数、ホール待ち人数、予測到着時刻、行動シミュレーション等の内容を表す。
【００２８】
図３は文字、記号等が組み合わされたビジュアルなコンテンツの一例を示すもので、１５はビルの階数、１６は当該階のエレベータホールにおける呼びの状態を示すもので、呼ばれている方向が表示されている。また１７は上りの待ち人数、１８は下りの待ち人数、１９はビルの縦動線を模式的に表しており、エレベータのかご２０の位置、移動方向とかご２０内の混雑度の表示２１がされている。さらに符号２２は各かご２０の混雑度が％表示２２で表示されている。
【００２９】
以上の構成において、利用者は、通信端末１２からインターネット１１等の通信回線を介してインフォメーションサーバ６にアクセスし、専用又は汎用のブラウザを利用して上記コンテンツを閲覧することができる。
【００３０】
このように、利用者は、図２（ａ）に示すように通信端末１２に表示された上記コンテンツを閲覧して、運行状況を把握することができ、適切な対処を行うことができる。
【００３１】
利用者は、通信端末１２による上記コンテンツの閲覧において、図４（ｂ）に示すように予約操作その他の操作要求をインフォメーションサーバ６に行わせることができる。例えば、その一例として、自己が望む階への移動におけるエレベータのかごの着床時刻の予測シミュレーションをインフォメーションサーバ６に行わせることができ、この指令に対してインフォメーションサーバ６は例えば図２（ｂ）に示すようなコンテンツを作成して通信端末１２に表示させる。
【００３２】
利用者は、通信端末１２により上記コンテンツを閲覧するのみでなく、エレベータの運行に関する操作要求を発することができる。例えば、利用者は、通信端末を操作して、どこの階から、どの利用エレベータ群の操作かを設定すると共に、そこでの呼び操作（上行き又は下行き）、即ち、予約操作を行うことができる。
【００３３】
利用者の通信端末１２から操作要求を受けたインフォメーションサーバ６は、所定の運行指令作成規則に従って運行指令データを作成し、これを運行監視システム１に発する。従って運行監視システム１は、自体に有する運行制御規則と、インフォメーションサーバ６からの運行指令データに基づいてエレベータの運行を制御する。
【００３４】
ここで運行指令作成規則は、例えば同一のエレベータに対して異なった操作要求が同時に発せられた場合の調整等に関する規則である。この調整においては、予めインフォメーションサーバに利用者の登録を行うと共に、利用者毎に優先順序を設定し、その優先順序を上記調整に利用することができる。
【００３５】
また、ある利用者にとって毎回同一の操作対象を設定する手間は省くために、利用者又は通信端末１２毎に初期登録された利用階及び利用エレベータ群のパターン等を初期値として設定する構成とすることができる。
【００３６】
またインフォメーションサーバ６は、登録された利用者に応じて、アクセスレベルの制限を行ったり、所定のアクセスに際して認証を要求する構成とすることができる。
【００３７】
またインフォメーションサーバ６では、予約操作の履歴、その後の実際のかごの運転の状況、例えば実際に乗り込みがあったか否か等の情報を記録し、次の呼び操作に対するエレベータ運行の有効性を解析して、運行計画に活かすことができる。例えば、通信端末１２から遠隔呼び出しをしたのにも関わらずエレベータが使用されなかった場合には、その予約をした利用者に対しては、注意を喚起するメッセージを送信したり、その利用者に対してその後の操作に制限を加える等である。
【産業上の利用可能性】
【００３８】
本発明は以上のとおり、利用者自体がエレベータの運行状況や、かご内及びエレベータホールにおける混雑状況を把握することができ、利用者の判断で行動することができるので、待ち時間等の心理的負担が軽減されるとともに、自然にエレベータの負荷分散が成される可能性があるという効果がある。
【図面の簡単な説明】
【００３９】
【図１】本発明のエレベータの運行システムの全体構成の実施例を示す系統図である。
【図２】通信端末の操作における表示例を示す説明図である。
【図３】文字、記号等が組み合わされたビジュアルなコンテンツの一例を示す説明図である。
【図４】本発明のエレベータの運行システムの全体構成及び操作の流れを示す系統図である。
【符号の説明】
【００４０】
１                  運行監視システム
２                  中央監視卓（システム）
３                  グラフィックパネル
４                  エレベータ運行制御部
５                  監視カメラシステム
６                  インフォメーションサーバ
７                  ＢＡＳネットワーク
８                  受変電設備
９                  照明設備
１０                空調設備
１１                インターネット
１２                通信端末
【図１】
2005193998.tif 000003
【図２】
2005193998.tif 000004
【図３】
2005193998.tif 000005
【図４】
2005193998.tif 000006